(57)【要約】【課題】車両の停止時にエンジン停止条件が成立すればエンジンを自動的に停止させ、その後エンジン再始動条件が成立すればエンジンを自動的に再始動させる場合、運転者が想定していた以上の急激なトルク変動を防止する。【解決手段】車両が減速中にエンジン停止条件を満たしてエンジン停止した後、車両が停車するまでの間に、運転者が車両を再度加速させるためアクセル開度を上げるなどの運転操作を行い自動的にエンジンが再始動した際、算出したトルクコンバータ１２０の慣性トルク相当のトルクを減じた出力となるエンジン制御を実行する。【選択図】図２
2018189025.tif 000002
【特許請求の範囲】
【請求項１】
エンジンと自動変速機との間にロックアップクラッチを有するトルクコンバータを備えた車両を制御する車両の電子制御装置であって、
上記車両の停止前もしくは停止時において上記自動変速機が動力伝達可能な状態にあるときに、エンジン停止条件が成立すれば上記エンジンを停止させ、エンジン再始動条件が成立すれば上記エンジンを再始動させる手段と、
上記トルクコンバータのタービン回転数より慣性トルクを算出する慣性トルク算出手段と、を備え、
上記車両が減速中に上記エンジン停止条件が成立し上記エンジンが停止した後、上記車両の停止前の運転者のアクセル開度操作による上記エンジン再始動条件が成立した時、上記エンジンは上記トルクコンバータの慣性トルク分のトルクを低減したトルクを出力することを特徴とする車両の電子制御装置。
【請求項２】
上記エンジン再始動条件成立後のエンジン再始動時に、上記エンジン出力から上記トルクコンバータの慣性トルク分のトルクを低減する処理を所定期間継続することを特徴とする請求項１に記載の車両の電子制御装置。
【請求項３】
上記エンジン出力から低減させるトルク量を、上記エンジンの出力トルク低減を開始してからの時間経過に伴って減少させることを特徴とする請求項１または２に記載の車両の電子制御装置。
【発明の詳細な説明】
【技術分野】
【０００１】
この発明は、車両の停止時にエンジン停止条件が成立すればエンジンを自動的に停止させ、その後エンジン再始動条件が成立すればエンジンを自動的に再始動させる車両の電子制御装置に関するものである。
【背景技術】
【０００２】
一般に、自動車の一時停止時においては、エンジンはアイドリング状態で回転しているが、かかるアイドリングは自動車の燃費性を低下させるとともに、地球温暖化の一因である二酸化炭素の排出量を増加させる。そこで、例えば特開２００４−３５３７７７号公報（特許文献１）に、自動車の一時停止時ないしはアイドリング時において、エンジン停止条件が成立すればエンジンを自動的に停止させ、その後エンジン再始動条件が成立すればエンジンを自動的に再始動させる動作（以下、アイドルストップという。）を行うようにしたアイドルストップ制御装置が提案されている。
【０００３】
上記特許文献１では、エンジン再始動時の方法として、エンジン停止後の再始動により変速機構へ入力されるトルクを検出する変速機構入力トルク検出手段を設け、アイドルストップ制御手段は、変速機構入力トルクが大きい場合、ロックアップクラッチを滑り締結させる方法が提案されている。
【０００４】
また、特開２０１０−８４８４１号公報（特許文献２）では、エンジン再始動時の方法として、車両の停止時においてドライバの意図ないしは操作と無関係な原因によりエンジン再始動条件が成立したときには、ロックアップクラッチを滑り締結させることにより、エンジン回転の上昇率を抑制する方法が提案されている。
【０００５】
さらに、特開２０１０−８４６１０号公報（特許文献３）では、エンジン再始動時の方法として、エンジンを再始動させる際のエンジン回転数の上昇時（立ち上がり時）におけるエンジン回転数上昇率を変更（制御）するエンジン回転数上昇率変更手段と、アクセル操作を検出するアクセル操作検出手段とを備え、エンジン回転数上昇率変更手段は、アクセルオン時にはアクセルオフ時に比べて、上記エンジンを再始動させる際のエンジン回転数上昇率を大きくする方法が提案されている。
【先行技術文献】
【特許文献】
【０００６】
【特許文献１】特開２００４−３５３７７７号公報
【特許文献２】特開２０１０−８４８４１号公報
【特許文献３】特開２０１０−８４６１０号公報
【発明の概要】
【発明が解決しようとする課題】
【０００７】
近年、燃料性能の向上を目的として、車両停止時だけでなく、車両が減速を開始してから車両が停止する前にエンジンを停止させる、いわゆるコーストストップ制御が行われている。コーストストップ制御中においてもユーザが意図的にアクセル操作をしたときにはドライバビリティ向上のため速やかにエンジンを再始動させ、車両を再加速させることが望ましい。
【０００８】
アクセル開度を上げるなどの運転操作を行った場合、例えば、図４に示すように、横軸をアクセル開度、縦軸をエンジン出力トルクとしたアクセル開度ーエンジン出力トルクマップにおいて、アクセル開度のマップ軸上の現状のアクセル開度Ａを特定し、それに対応するエンジン出力トルクＢを算出する処理が行われ、算出されたエンジン出力トルクとなるようにエンジン制御を行う。
【０００９】
しかしながら、車両が減速を開始してから車両が停止する前にエンジンを停止させると、エンジンが停止してから車両が停車するまでの間、トルクコンバータのタービンランナは惰性回転を続けるため、タービンランナの惰性回転により慣性トルクが発生した状況となる。このような状況で運転者が車両を再度加速させるためアクセル開度を上げるなどの運転操作を行った場合、例えばアクセル開度をもとに図４のアクセル開度ーエンジン出力トルクマップより算出されたエンジンの出力トルクに、トルクコンバータのタービンランナの惰性回転による慣性トルクが上乗せされてトルクコンバータの入力軸に入力される。
【００１０】
エンジンの出力トルクにトルクコンバータの慣性トルクが上乗せされると、通常走行中に同程度のアクセル開度を上げた時以上のトルクがトルクコンバータの入力軸に加わった状態になるため、運転者が想定していた以上に車両が急加速するように、急激なトルク変動による車両のショック発生に繋がるなどの現象が発生し、ドライバビリティが悪化することが考えられる。
【００１１】
上記特許文献１の方法では、トルクコンバータの入力トルクが急激に増大した場合、ロックアップクラッチを滑り締結させることにより変速ショックは軽減されるものの、トルクコンバータを滑り締結することにより、トルクコンバータで変速機に伝達されず消失するトルクが発生することになり、消失したトルクの分だけ燃費が悪化することに繋がる。また、ロックアップクラッチを滑り締結することで余剰なトルクを吸収する方法は、トルクコンバータのクラッチの発熱などの要因になり、クラッチの耐久性が低下するなどの問題が発生することが考えられる。
【００１２】
また、上記特許文献２の方法では、エンジン回転数の上昇率の抑制やエンジンの点火進角のリタード制御は、車両の減速中のトルクコンバータの慣性トルクとの連動や運転者の意図的なアクセル開度操作などが考慮されていないため、エンジンの出力トルク不足やエンジン停止後運転者のアクセル開度操作によるエンジン再始動時に、運転者が期待する出力トルクが出せない可能性がある。
【００１３】
また、上記特許文献３の方法では、アクセルオンによりエンジン回転数を上昇させる制御とロックアップクラッチを滑り締結させる制御とを同時に並行して行うことにより、アクセルオン時のエンジン出力トルクの増加分がロックアップクラッチの滑り締結させることで相殺されてしまい、燃費の悪化に繋がる可能性がある。また、減速中のトルクコンバータの慣性トルクを考慮していないため、アクセルによるエンジン出力のトルク増加にトルクコンバータの慣性トルクが上乗せされるため、運転者の意図しないトルクの増加を招き、車両のショック発生に繋がる可能性もある。ロックアップクラッチを滑り締結することで余剰なトルクを吸収する方法は、トルクコンバータのクラッチの発熱などの要因になり、クラッチの耐久性が低下するなどの問題が発生することが考えられる。
【００１４】
この発明は、上記課題を解決するためになされたもので、車両の停止時にエンジン停止条件が成立すればエンジンを自動的に停止させ、その後エンジン再始動条件が成立すればエンジンを自動的に再始動させる場合、運転者が想定していた以上の急激なトルク変動を防止する車両の電子制御装置を得ることを目的とするものである。
【課題を解決するための手段】
【００１５】
この発明に係る車両の制御装置は、エンジンと自動変速機との間にロックアップクラッチを有するトルクコンバータを備えた車両を制御する車両の電子制御装置であって、
上記車両の停止前もしくは停止時において上記自動変速機が動力伝達可能な状態にあるときに、エンジン停止条件が成立すれば上記エンジンを停止させ、エンジン再始動条件が成立すれば上記エンジンを再始動させる手段と、上記トルクコンバータのタービン回転数より慣性トルクを算出する慣性トルク算出手段と、を備え、
上記車両が減速中に上記エンジン停止条件が成立し上記エンジンが停止した後、上記車両の停止前の運転者のアクセル開度操作による上記エンジン再始動条件が成立した時、上記エンジンは上記トルクコンバータの慣性トルク分のトルクを低減したトルクを出力するものである。
【発明の効果】
【００１６】
この発明に係る車両の制御装置によれば、車両が減速中にエンジン停止条件を満たしてエンジン停止した後、車両が停車するまでの間に、運転者が車両を再度加速させるためアクセル開度を上げるなどの運転操作を行った場合、アクセル開度をもとに算出されたエンジンの出力トルクに、トルクコンバータのタービンランナの惰性回転による慣性トルクが上乗せされて出力されることが防止できる。従って、急激なトルク変動による車両のショック発生に繋がるなどの現象が防止でき、エンジン再始動時のドライバビリティを向上させることが可能となる。また、トルクコンバータの慣性トルク分のエンジン出力トルクを低減できるため燃費向上にも繋がる。
【図面の簡単な説明】
【００１７】
【図１】この発明の実施の形態１に係る車両の電子制御装置を説明するシステム構成図である。
【図２】この発明の実施の形態１に係る車両の電子制御装置の制御処理の流れを示すフローチャートである。
【図３】この発明の実施の形態１に係る車両の電子制御装置の効果を説明する図である。
【図４】車両の電子制御装置のアクセル開度にもとづくエンジン出力マップの一例を示した図である。
【発明を実施するための形態】
【００１８】
以下、この発明に係る車両の制御装置の好適な実施の形態について図面を参照して説明する。
【００１９】
実施の形態１．
図１は、この発明の実施の形態１に係る車両の電子制御装置を説明するシステム構成図である。図１において、符号１１０はエンジンを示しており、このエンジン１１０はガソリンエンジンでもよく、他のエンジン形態、例えばディーゼルエンジンを用いることも可能である。また、エンジン１１０は、例えば、燃料噴射装置、絞りバルブなどのトルクアクチュエータ１１１によってトルクを発生させたり、エンジン回転数を調整したりすることが可能である。
【００２０】
エンジン１１０は、ほとんど零に近いエンジン回転数において、エンジン再始動を補助する補助的なスタータシステム１１２を含んでいる。スタータシステム１１２は、例えば事前のアイドルストップ条件の成立に応じてエンジン１１０がスピンダウンしている間に、運転者がアクセル開度を操作した場合のエンジン１１０の再始動に用いられる。エンジン１１０の出力軸には、エンジン回転センサ１６０が接続され、計測されたエンジン回転数は、電子制御装置１００に入力される。
【００２１】
エンジン１１０に連結されたトルクコンバータ１２０にはロックアップクラッチ１２１が内蔵されていて、このロックアップクラッチ１２１は、電子制御装置１００からの指令値に基づいて、ロックアップクラッチ１２１の締結、滑り締結、開放を制御することにより、後述する自動変速機１３０の入力トルクとして入力されるエンジン１１０の出力トルクの大きさを制御することができる。
【００２２】
トルクコンバータ１２０にはタービン回転速度を計測するタービン回転センサ１６１が接続されており、タービン回転センサ１６１で計測されたトルクコンバータ１２０のタービン回転速度は電子制御装置１００に入力される。
【００２３】
トルクコンバータ１２０には自動変速機１３０が連結されている。エンジン１１０からの出力トルクは走行時、トルクコンバータ１２０を介して自動変速機１３０に伝えられ、自動変速機１３０で車両の走行状況や運転者の意図に応じたトルクに変換され、ディファレンシャルギアやドライブシャフトを介して車輪１４０に出力される。自動変速機１３０としては、例えば無段変速機や有段変速機などが挙げられる。
【００２４】
車輪１４０には車速センサ１６２が接続されている。車速センサ１６２で計測された車両の車速は電子制御装置１００に入力される。
【００２５】
運転者が車両を加速させる際に操作するアクセルペダル１５０にはアクセル開度センサ１６３が接続されている。アクセル開度センサ１６３で読み取られたアクセル開度は電子制御装置１００に入力される。
【００２６】
電子制御装置１００は、アクセル開度取得手段１０１、エンジン始動手段１０２、エンジン停止手段１０３、アイドルストップ判定手段１０４、エンジントルク設定手段１０５、エンジン回転数取得手段１０６、ロックアップクラッチ締結手段１０７、タービン回転数取得手段１０８、及び慣性トルク算出手段１０９を備えており、アクセル開度センサ１６３、エンジン回転センサ１６０、タービン回転センサ１６１、及び車速センサ１６２の入力を基に運転状況に応じてロックアップクラッチ１２１の締結制御やトルクアクチュエータ１１１の制御を行い、エンジン１１０の出力トルク、回転数制御、スタータシステム１１２を制御してエンジン停止状態からのエンジン再始動などの制御を行う。
【００２７】
アイドルストップ判定手段１０４は、車両の減速中に車速センサ１６２より読み取った車速が、所定値未満になるなどのアイドルストップのエンジン停止条件を判定し、アイドルストップ判定が成立している場合、エンジン停止手段１０３はエンジントルク設定手段１０５に対し、エンジン停止するように指示を出す。エンジントルク設定手段１０５は、トルクアクチュエータ１１１を停止してエンジン停止制御を行う。
【００２８】
エンジン始動手段１０２は、車両の減速中にエンジン停止した後の車両停止前に、運転者がアクセル開度を上げる操作を行った場合、アクセル開度をアクセル開度センサ１６３で検出し、アクセル開度取得手段１０１を介して取得する。エンジン始動手段１０２は、アクセル開度が所定値を超えるなどエンジン再始動条件を満たした場合、スタータシステム１１２を制御することによるエンジン再始動と、エンジントルク設定手段１０５にエンジン１１０の出力トルクの制御を開始するように指示する。
【００２９】
エンジン回転数取得手段１０６は、エンジン回転センサ１６０を介してエンジン回転数を読み取る。また、タービン回転数取得手段１０８は、タービン回転センサ１６１を介してトルクコンバータ１２０のタービン回転数を読み取る。
【００３０】
ロックアップクラッチ締結手段１０７は、アクセル開度取得手段１０１で読み取ったアクセル開度と、車速センサ１６２から読み取った車速を入力として、あらかじめ設定されたロックアップマップをもとに、目標とするエンジン回転数とトルクコンバータ１２０のタービン回転数の差回転数を算出し、エンジン回転数取得手段１０６で読み取ったエンジン回転数とタービン回転数取得手段１０８で読み取ったタービン回転数とをモニタしながら、ロックアップマップより算出された差回転数となるようにロックアップクラッチ１２１の締結制御を行う。
【００３１】
ロックアップマップは車速、アクセル開度を入力として、自動車の運転状態に応じてエンジン回転数とトルクコンバータ１２０のタービン回転数の差回転数を出力として設定されている。例えば、車速が低速でアクセル開度が大きい場合は、トルクコンバータ１２０でのトルクの増大とエンジン１１０の急激な出力トルク変動による車両のショック低減のため、ロックアップマップの出力となるエンジン回転数とトルクコンバータ１２０のタービン回転数の差回転数を大きくする、即ち、ロックアップクラッチ１２１を開放するように設定されている。車速が高速でアクセル開度が小さい場合は、トルクコンバータ１２０のトルクロスを防止し燃費向上させるため、ロックアップマップの出力となるエンジン回転数とトルクコンバータ１２０のタービン回転数の差回転数を零にする、即ち、ロックアップクラッチ１２１を締結するように設定されている。車速が低速でアクセル開度が小さい場合は、燃費の向上とショック抑制の両立を図るため、ロックアップマップの出力となるエンジン回転数とトルクコンバータ１２０のタービン回転数の差回転数を車両の走行状態に応じて生じさせる、即ち、ロックアップクラッチ１２１を滑り締結させるように設定されている。
【００３２】
慣性トルク算出手段１０９は、エンジン回転数取得手段１０６からエンジン回転数を取得すると共に、タービン回転数取得手段１０８からトルクコンバータ１２０のタービン回転数を取得し、車両の減速中にエンジン停止した後の車両停止前に、運転者のアクセル開度操作によりエンジン再始動したときのトルクコンバータ１２０の慣性トルクを算出する。トルクコンバータ１２０の慣性トルクとしては、車両の減速中にエンジン停止した状態でトルクコンバータ１２０のタービンの惰性回転によって駆動されるトルクコンバータ１２０の入力側のトルク、すなわちエンジン１１０の出力軸側に加わるトルクを算出し適用する。
【００３３】
トルクコンバータ１２０の慣性トルクの算出方法は、例えばトルクコンバータ１２０のポンプ容量係数を利用した算出方法が考えられる。トルクコンバータ１２０のタービン回転数をエンジン回転数から下記の式（１）の演算式より速度比ｅを算出する。
速度比ｅ＝タービン回転数／エンジン回転数・・・(式１)
【００３４】
算出した速度比ｅを入力として、トルクコンバータ１２０の速度比ｅとポンプ容量係数ｃ(Ｎｍ／ｒｐｍ２）の特性マップよりポンプ容量係数ｃを算出する。
【００３５】
車両の減速中にエンジン停止した後の車両停止前に、エンジン再始動したときのトルクコンバータ１２０の慣性トルクＴｔ０（Ｎｍ）は、速度比ｅより算出されたポンプ容量係数ｃとエンジン回転数を基に、下記の（式２）の演算式で算出できる。
慣性トルクＴｔ０（Ｎｍ）＝ｃ（Ｎｍ／ｒｐｍ２）×（エンジン回転数(ｒｐｍ)）２・・・(式２)
またエンジン１１０の出力トルクからトルクコンバータ１２０の慣性トルクＴｔを低減する時間をｔｒｅ（ｓ）とし、低減継続時間をｔ（ｓ）とすると、エンジン再始動時以降のエンジン１１０の出力トルクから低減するトルクコンバータ１２０の慣性トルクＴｔｎ（ｎ＝１，２，３・・・）は、下記の（式３）の演算式により算出される。
慣性トルクＴｔｎ（Ｎｍ）＝Ｔｔ０（Ｎｍ）×（Ｔｒｅ（ｓ）−ｔ（ｓ））／Ｔｒｅ（ｓ）・・・(式３)
【００３６】
エンジントルク設定手段１０５は、エンジン出力トルクを算出しトルクアクチュエータ１１１を制御してエンジン１１０の出力トルク制御を行う。
【００３７】
エンジントルク設定手段１０５は、エンジン停止手段１０３からエンジン停止指示を受け取ったときは、エンジン出力トルクを零にしてエンジン停止制御を行う。また、エンジントルク設定手段１０５は、エンジン始動手段１０２からエンジン始動指示を受け取ったときは、アクセル開度取得手段１０１で取得したアクセル開度から、例えば図４のアクセル開度ーエンジン出力トルクマップに示すように、アクセル開度のマップ軸上の現状のアクセル開度Ａを特定し、それに対応するエンジン出力トルクＢを算出する処理を行い、算出されたエンジン出力トルクが出力されるように、トルクアクチュエータ１１１を制御する。
【００３８】
エンジントルク設定手段１０５は、車両の減速中にエンジン停止した後の車両停止前に、運転者がアクセル開度の操作を行いエンジン再始動した場合、アクセル開度より算出したエンジン出力トルクから慣性トルク算出手段１０９で算出された慣性トルクＴｔｎ（Ｎｍ）を低減するエンジン出力トルク低減制御を行う。
【００３９】
図２は、実施の形態１に係る車両の電子制御装置の制御処理の流れを示すフローチャートである。
【００４０】
電子制御装置１００は、運転者によって車両のイグニッションキーがオンされ、電子制御装置１００に通電が開始されて起動してから、運転者によって車両のイグニッションキーがオフされ、電子制御装置１００に通電が停止されて停止するまでの間、あらかじめ設定された時間間隔で定周期の制御処理を実行する。
【００４１】
ステップＳ２０１では、アイドルストップ制御中のエンジン停止中かどうか判定する。エンジン停止中である場合はステップＳ２０２に進み、エンジン稼働中の場合はステップＳ２０６に進む。
【００４２】
ステップＳ２０２では、アイドルストップ制御中のエンジン停止中に運転者によりアクセル開度が操作されエンジン再始動条件が成立しているかどうかを判定する。エンジン再始動条件が成立する場合は、ステップＳ２０３に進む。エンジン再始動条件が成立しない場合は、処理を終了し次回定周期実行タイミングで再度処理を実行する。
【００４３】
ステップＳ２０３では、タービン回転数を取得する処理を行い、次にステップＳ２０４に進む。
【００４４】
ステップＳ２０４では、慣性トルク算出手段１０９の実行により、上記式(１)、式(２)からトルクコンバータ１２０の慣性トルクの算出処理を行う。次にステップＳ２０５に進む。
【００４５】
ステップＳ２０５では、エンジントルク設定手段１０５の実行により、アクセル開度取得手段１０１で取得したアクセル開度から、例えば図４のアクセル開度ーエンジン出力トルクマップに示すように、アクセル開度のマップ軸上の現状のアクセル開度Ａを特定し、それに対応するエンジン出力トルクＢの算出処理を行い、算出されたエンジン１１０の出力トルクからステップＳ２０４もしくはステップＳ２０８で算出したトルクコンバータ１２０の慣性トルクを減算した値をエンジン出力トルクとして決定する。
【００４６】
ステップＳ２０６では、トルクコンバータ１２０の慣性トルク低減処理実施中か判定する処理を行う。トルクコンバータ１２０の慣性トルク低減処理実施中の場合は、ステップＳ２０７に進む。低減処理が終了もしくは低減処理を実施していない場合はステップＳ２１１に進む。
【００４７】
ステップＳ２０７では、トルクコンバータ１２０の慣性トルク低減処理実施時間があらかじめ設定された所定時間継続したかどうかを判定する。所定時間継続していない場合はステップＳ２０８に進み、所定時間継続した場合はステップＳ２１０に進む。
【００４８】
ステップＳ２０８では、エンジン出力トルクの低減処理の継続時間に応じて上記式(２)、式(３)よりトルクコンバータ１２０の慣性トルクの減算処理を行い、次にステップＳ２０９に進む。
【００４９】
ステップＳ２０９では、トルクコンバータ１２０の慣性トルク低減処理の継続時間をカウントアップし、次にステップＳ２０５に進む。
【００５０】
ステップＳ２１０では、トルクコンバータ１２０の慣性トルク低減処理を終了し、次にステップＳ２１１に進む。
【００５１】
ステップＳ２１１では、アクセル開度取得手段１０１で取得したアクセル開度から、例えば図４のアクセル開度ーエンジン出力トルクマップに示すように、アクセル開度のマップ軸上の現状のアクセル開度Ａを特定し、それに対応するエンジン出力トルクを算出する処理を行う。アクセル開度に基づいて算出されたエンジン出力トルクからトルクコンバータ１２０の慣性トルクの減算処理は行わない。
【００５２】
次に、実施の形態１に係る車両の電子制御装置の効果について説明する。図３は、実施の形態１に係る車両の電子制御装置の効果を表す図である。図３において、車両が減速中に車速Ｓが低下しはじめるとロックアップクラッチ１２１の滑り締結制御を開始する。図３の符号Ｃ１がロックアップクラッチ１２１の滑り締結区間を表している。ロックアップクラッチ１２１を滑り締結制御することにより、タービン回転数Ｔとエンジン回転数Ｅの差回転数が徐々に大きくなる。
【００５３】
さらに車速が低下し、所定値以下になるとエンジン１１０が停止し、ロックアップクラッチ１２１を開放する。ロックアップクラッチ１２１の開放中、車両が減速中のトルクコンバータ１２０の慣性トルクによりタービン回転数Ｔは徐々に低下する。エンジン停止後エンジン回転数Ｅもタービン回転数Ｔより回転数の低下はおおきくなるものの、トルクコンバータ１２０の慣性トルクにつられて惰性で回転を続ける。なお、図３の符号Ｃ２がロックアップクラッチ１２１の開放区間を表している。
【００５４】
エンジン停止後、エンジン停止する前に運転者がアクセル開度操作を行ったときにエンジン１１０は再始動する。図３の符号Ｄがアクセル開度区間を表している。
【００５５】
エンジン再始動時のエンジン出力トルクは、アクセル開度に基づいて算出されたエンジン出力トルクＴＱ１からトルクコンバータ１２０の慣性トルクＴＱ２（図３中の縦縞模様部分）を低減したトルクをエンジン出力トルクとして出力するように、エンジン１１０のトルクアクチュエータ１１１を制御する。図３の符号ＴＱがエンジン再始動時のエンジン出力トルクの変移を表している。
【００５６】
エンジン出力トルクＴＱ１からトルクコンバータ１２０の慣性トルクＴＱ２を低減する制御は、所定期間であるエンジントルク低減終了期間まで行い、その継続時間に応じてエンジン出力トルクＴＱ１から低減するトルクコンバータ１２０の慣性トルクＴＱ２を徐々に減少させる。
【００５７】
トルクコンバータ１２０の慣性トルクＴＱ２を低減する制御終了期間以降は通常通りアクセル開度に応じたエンジン出力トルクＴＱを出力する。
【００５８】
以上詳述したように、実施の形態１に係る車両の電子制御装置は、車両の減速中にエンジン停止条件が成立しエンジン停止した後の車両停止前に、運転者のアクセル開度操作によるエンジン再始動条件が成立した時、算出したトルクコンバータ１２０の慣性トルク相当のトルクを減じた出力となるエンジン制御を実行し、この制御を一定期間継続し時間経過に伴って減じるトルク量を減少させるようにしたので、車両の減速中にエンジン停止条件を満たしてエンジン停止した後の車両が停車するまでの間に、運転者が車両を再度加速させるためアクセル開度を上げるなどの運転操作を行った場合、アクセル開度をもとに算出されたエンジン１１０の出力トルクに、トルクコンバータ１２０のタービンランナの惰性回転による慣性トルクが上乗せされて出力されることが防止できる。これにより、運転者が想定していた以上に車両が急加速するように、急激なトルク変動による車両のショック発生に繋がるなどの現象が防止でき、エンジン再始動時のドライバビリティを向上させることが可能となる。またトルクコンバータ１２０の慣性トルク分、エンジン１１０の出力トルクを低減できるため燃費向上にも繋がる。
なお、この発明は、その発明の範囲内において、実施の形態を適宜、変形、省略することが可能である。
【符号の説明】
【００５９】
１００  電子制御装置、１０１  アクセル開度取得手段、１０２  エンジン始動手段、１０３  エンジン停止手段、１０４  アイドルストップ判定手段、１０５  エンジントルク設定手段、１０６  エンジン回転数取得手段、１０７  ロックアップクラッチ締結手段、１０８  タービン回転数取得手段、１０９  慣性トルク算出手段、１１０  エンジン、１１１  トルクアクチュエータ、１１２  スタータシステム、１２０  トルクコンバータ、１２１  ロックアップクラッチ、１３０  自動変速機、１４０  車輪、１５０  アクセルペダル、１６０  エンジン回転センサ、１６１  タービン回転センサ、１６２  車速センサ、１６３  アクセル開度センサ
【図１】
2018189025.tif 000003
【図２】
2018189025.tif 000004
【図３】
2018189025.tif 000005
【図４】
2018189025.tif 000006
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
エンジンと自動変速機との間にロックアップクラッチを有するトルクコンバータを備えた車両を制御する車両の電子制御装置であって、
上記車両の停止前もしくは停止時において上記自動変速機が動力伝達可能な状態にあるときに、エンジン停止条件が成立すれば上記エンジンを停止させ、エンジン再始動条件が成立すれば上記エンジンを再始動させる手段と、
車速及びアクセル開度を入力とし、上記車両の運転状態に応じたエンジン回転数と上記トルクコンバータのタービン回転数との差回転数があらかじめ設定されたロックアップマップを有し、上記ロックアップマップに設定されたエンジン回転数とタービン回転数の差回転数になるように、上記ロックアップクラッチの締結制御を行うロックアップクラッチ締結手段と、
上記トルクコンバータのタービン回転数より慣性トルクを算出する慣性トルク算出手段と、を備え、
上記車両が減速中に上記エンジン停止条件が成立し上記エンジンが停止した後、上記車両の停止前の運転者のアクセル開度操作による上記エンジン再始動条件が成立した時、上記エンジンは、上記慣性トルク算出手段で算出された上記トルクコンバータの慣性トルク分のトルクを低減することを特徴とする車両の電子制御装置。
【請求項２】
上記エンジンの再始動条件成立後のエンジン再始動時に、上記エンジンの出力から上記トルクコンバータの慣性トルク分のトルクを低減する処理を所定期間継続することを特徴とする請求項１に記載の車両の電子制御装置。
【請求項３】
上記エンジンの出力から低減させるトルク量を、上記エンジンの出力トルク低減を開始してからの時間経過に伴って減少させることを特徴とする請求項１または２に記載の車両の電子制御装置。
【手続補正２】
【補正対象書類名】明細書
【補正対象項目名】００１５
【補正方法】変更
【補正の内容】
【００１５】
この発明に係る車両の制御装置は、エンジンと自動変速機との間にロックアップクラッチを有するトルクコンバータを備えた車両を制御する車両の電子制御装置であって、
上記車両の停止前もしくは停止時において上記自動変速機が動力伝達可能な状態にあるときに、エンジン停止条件が成立すれば上記エンジンを停止させ、エンジン再始動条件が成立すれば上記エンジンを再始動させる手段と、車速及びアクセル開度を入力とし、上記車両の運転状態に応じたエンジン回転数と上記トルクコンバータのタービン回転数との差回転数があらかじめ設定されたロックアップマップを有し、上記ロックアップマップに設定されたエンジン回転数とタービン回転数の差回転数になるように、上記ロックアップクラッチの締結制御を行うロックアップクラッチ締結手段と、上記トルクコンバータのタービン回転数より慣性トルクを算出する慣性トルク算出手段と、を備え、
上記ロックアップクラッチ締結手段による上記ロックアップクラッチの締結制御に基づいて上記車両が減速中に上記エンジン停止条件が成立し上記エンジンが停止した後、上記車両の停止前の運転者のアクセル開度操作による上記エンジン再始動条件が成立した時、上記エンジンは上記トルクコンバータの慣性トルク分のトルクを低減する処理を設定された期間継続するものである。